(57)【要約】【課題】移動取引車両に搭載した現金処理装置の保守作業等における安全性を向上させる手段を提供する。【解決手段】現金処理装置を搭載した移動取引車両において、前記現金処理装置は、その傾斜角を検出する傾斜検出部を備え、前記傾斜検出部で検出した傾斜角が所定の規制値を超えているときに、前記現金処理装置の扉の開閉を制限する。【選択図】        図１
2018088149.tif 000002
【特許請求の範囲】
【請求項１】
現金処理装置を搭載した移動取引車両において、
前記現金処理装置は、その傾斜角を検出する傾斜検出部を備え、
前記傾斜検出部で検出した傾斜角が所定の規制値を超えているときに、前記現金処理装置の扉の開閉を制限することを特徴とする移動取引車両。
【請求項２】
請求項１に記載の移動取引車両において、
前記現金処理装置に、表示部を設け、
前記扉の開閉を制限したときに、前記表示部に平坦な場所への移動を促す旨を表示することを特徴とする移動取引車両。
【請求項３】
請求項１または請求項２に記載の移動取引車両において、
前記現金処理装置に、現金部と、通帳部と、表示部を有する接客部と、を設け、
前記扉は、前記現金部と前記通帳部と前記接客部にそれぞれ設けられたものであることを特徴とする移動取引車両。
【請求項４】
請求項１ないし請求項３のいずれか一項に記載の移動取引車両において、
前記扉に、電磁ロックを設け、
前記傾斜検出部で検出した傾斜角が所定の規制値以下のときに、前記扉の開閉の制限を、前記電磁ロックにより解除することを特徴とする移動取引車両。
【請求項５】
請求項４に記載の移動取引車両において、
前記電磁ロックは、電源の遮断時に、機械的にロックされていることを特徴とする移動取引車両。
【請求項６】
傾斜角を検出する傾斜検出部を備えた現金処理装置であって、
前記傾斜検出部で検出した傾斜角が所定の規制値を超えているときに、扉の開閉を制限することを特徴とする現金処理装置。
【発明の詳細な説明】
【技術分野】
【０００１】
本発明は、現金自動預払機等の現金処理装置を搭載した移動取引車両に関する。
【背景技術】
【０００２】
従来の移動取引車両は、駐車場等に車両を停車させて、搭載した現金自動預払機を用いて取引を行っている（例えば、特許文献１参照。）。
【先行技術文献】
【特許文献】
【０００３】
【特許文献１】特開平７−７３２５７号公報（段落００１２、段落００２６、第１図）
【発明の概要】
【発明が解決しようとする課題】
【０００４】
しかしながら、駐車場等は必ずしも平坦な場所ではなく、緩やかに傾斜している場合があり、このとき保守等のために現金自動預払機の扉を開けると、開けた扉が傾斜により勢いよく開き、保守員等が致傷する等の事故が発生する場合があるという問題がある。
本発明は、上記の問題点を解決するためになされたもので、移動取引車両に搭載した現金処理装置の保守作業等における安全性を向上させる手段を提供することを目的とする。
【課題を解決するための手段】
【０００５】
本発明は、上記課題を解決するために、現金処理装置を搭載した移動取引車両において、前記現金処理装置は、その傾斜角を検出する傾斜検出部を備え、前記傾斜検出部で検出した傾斜角が所定の規制値を超えているときに、前記現金処理装置の扉の開閉を制限することを特徴とする。
【発明の効果】
【０００６】
これにより、本発明は、開けた扉が傾斜により勢いよく開くことを未然に防止して、保守作業等における安全性を向上させることができるという効果が得られる。
【図面の簡単な説明】
【０００７】
【図１】実施例の現金自動預払機を搭載した移動取引車両を示す説明図
【図２】実施例の現金自動預払機を示すブロック図
【図３】実施例の水平度適正通知画面の表示例を示す説明図
【図４】実施例の水平度不適正通知画面の表示例を示す説明図
【発明を実施するための形態】
【０００８】
以下に、図面を参照して本発明による移動取引車両および現金処理装置の実施例について説明する。
【実施例】
【０００９】
以下に、図１ないし図４を用いて本実施例の移動取引車両および現金自動預払機について説明する。
本実施例の移動取引車両１は、銀行等の金融機関が運営する移動式の店舗であって、図１に示すように、ワゴン車等の比較的小型の車両のテールゲート２側に設けられた取引装置設置空間３に、現金処理装置としての現金自動預払機４が搭載されている。
【００１０】
本実施例の現金自動預払機４は、接客部５、通帳部６、現金部としての紙幣部７から構成され、それぞれの前面側（テールゲート２側をいう。）には、扉５ａ、６ａ、７ａが設けられており、テールゲート２を開放することで外部からのアクセスが可能なる。
また、各扉５ａ、６ａ、７ａには、保守作業等を行うオペレータや保守員等（以下、係員という。）が所持する鍵により施錠、解錠を行う接客部錠９ａ、通帳部錠９ｂ、紙幣部錠９ｃが設けられている。
【００１１】
本実施例の接客部錠９ａ、通帳部錠９ｂ、紙幣部錠９ｃは、それぞれ建物等のオートロックに用いられる電磁ロックであって、鍵により施錠、解錠を行うためのシリンダと、電気的に各錠をロックするためのソレノイド等を備えている。
このため、各錠９は、非通電時には、ソレノイドのプランジャがバネ部材による付勢力によりシリンダに向かって突出して機械的にロックされ、鍵による解錠が不可能になり、通電時には、ソレノイドのプランジャが吸引されて各錠９の機械的なロックが解除され、鍵による解錠、施錠が可能になる。
【００１２】
なお、本実施例の接客部５の扉５ａは前面側の上部に設けられたヒンジを中心に上下方向に開放可能に構成され、通帳部６の扉６ａと紙幣部７の扉７ａはそれぞれ前面側の左側に設けられたヒンジを中心に左右方向に開放可能に構成されている。
本実施例の現金自動預払機４は、利用者との間で現金による取引を自動で行う機能等を有しており、図２に示す構成を備えている。
【００１３】
現金自動預払機４の制御部１１は、巡回先等の営業場所に設けられた有線ＬＡＮ（Ｌｏｃａｌ  Ａｒｅａ  Ｎｅｔｗｏｒｋ）または無線ＬＡＮ等の通信回線を介して図示しないホストコンピュータと接続しており、現金自動預払機４内の各部を制御して取引処理や業務処理等を実行すると共にホストコンピュータとの間の相互通信を制御する機能等を有している。
【００１４】
また、制御部１１は、接客部５、通帳部６、紙幣部７とそれぞれ有線または無線により接続されている。
記憶部１２は、利用者との取引処理や、係員との業務処理等を実行するための業務実行プログラムおよびそれに用いる各種のデータ、並びに制御部１１による処理結果等が格納される。
【００１５】
操作表示部１３は、接客部５の前面に設けられたＬＣＤ等の表示画面とタッチパネル、スピーカを有する音声部等を備えており、表示画面に取引選択画面や各種の入力画面等の利用者画面、係員に対する業務選択画面等の係員画面を表示すると共に、タッチパネルにより利用者や係員からの選択入力等を受付ける他、音声により表示内容を利用者や係員に報知する機能等を有している。
【００１６】
また、接客部５の扉５ａには、操作表示部１３の表示画面を利用者画面または係員画面に切替える鍵式の切替スイッチ１３ａ（図１参照）が設けられている。
キー入力部１４は、テンキーや、金額の単位を入力するための「万」キー、「千」キー、「円」キー、入力の間違いを訂正するための「訂正」キー等の各種の入力キーを備えており、利用者からの暗証番号や金額等の入力を受付ける機能を有している。
【００１７】
本実施例の入力手段は、操作表示部１３のタッチパネルおよびキー入力部１４により構成される。
接客部５の内蔵ユニットとしてのカード取扱部１５は、カード挿入口１５ａから挿入された利用者のキャッシュカードやクレジットカード等の取引カードの磁気ストライプやＩＣチップ等に記録されている口座情報等のカード情報を読み書きする機能を有すると共に、取引内容等を印刷した明細票を発行する機能等を有している。
【００１８】
通帳部６の内蔵ユニットとしての通帳取扱部１６は、通帳挿入口１６ａから挿入された利用者の通帳の磁気ストライプ等に記録されている通帳情報を読み書きする機能を有すると共に取引内容等を利用者の通帳に記帳する機能等を有している。
紙幣部７の内蔵ユニットとしての紙幣入出金部１７は、入金取引時等に紙幣入出金口１７ａによって利用者が投入した紙幣を受入れ、これを鑑別および計数して収納庫に収納し、出金取引時等に利用者により指定された金額等を収納庫から繰出して計数し、これを紙幣入出金口１７ａから利用者に引渡す機能等を有している。
【００１９】
電源部１８は、接客部５、通帳部６、紙幣部７やそれぞれの内蔵ユニット等に電源ケーブルを介して電力を供給する。
傾斜検出部としての水準器２１は、接客部５の天板上の前面側に設置されたデジタル水準器等であって、営業場所の駐車位置における３６０度方向の傾斜角を制御部１１へ出力する機能等を有している。これにより、本実施例の水準器２１は、係員による視認も可能になる。
【００２０】
本実施例の記憶部１２には、営業場所の駐車位置における現金自動預払機４の傾斜角の許容値である、所定の規制値としての傾斜許容角（本実施例では、水平から３度）が予め設定されて格納されている。
以下に、本実施例の移動取引車両１に搭載された現金自動預払機４による取引処理および業務処理の処理動作について説明する。
【００２１】
移動取引車両１が、営業場所に到着して停車し、金融機関の係員が現金自動預払機４に電源部１８から電源を投入すると、現金自動預払機４の記憶部１２に格納されている業務実行プログラムが自動的に起動される。
このとき、接客部５の扉５ａの接客部錠９ａ、通帳部６の扉６ａの通帳部錠９ｂ、紙幣部７の扉７ａの紙幣部錠９ｃの電磁ロックは非通電状態となっており、鍵による解錠は不可能になっている。
【００２２】
係員が、テールゲート２を開放して、所持する鍵を接客部５の切替スイッチ１３ａに挿入して鍵を業務側に回動させると、これを認識した制御部１１は、操作表示部１３の表示画面に業務選択画面を表示する。
係員が業務選択画面からタッチパネルによって「水平度確認」ボタンを押下すると、この選択入力を受付けた制御部１１は水平度確認処理を開始し、記憶部１２に格納されている傾斜許容角を読出すと共に、水準器２１によって、最大傾斜の方向とその傾斜角を検出する。
【００２３】
検出した傾斜角が傾斜許容角以下の場合、制御部１１は、駐車位置が適正な位置と判定し、接客部５の扉５ａの接客部錠９ａ、通帳部６の扉６ａの通帳部錠９ｂ、紙幣部７の扉７ａの紙幣部錠９ｃの電磁ロックに通電して機械的なロックを解除し、鍵による解錠を可能にすると共に、操作表示部１３の表示画面に水平度適正通知画面を表示する。
水平度適正通知画面には、図３に示すように、水平度が適正である旨の文言と、表示内容を確認したことを指示するための「確認」ボタン等が表示され、前記文言が音声により係員に報知される。
【００２４】
表示内容等を確認した係員が「確認」ボタンを押下した後に、接客部５の切替スイッチ１３ａの鍵を取引側に回動させると、これを認識した制御部１１は、接客部５、通帳部６、紙幣部７の各扉５ａ、６ａ、７ａの各錠９の電磁ロックを非通電にして鍵による解錠を不可能にし、操作表示部１３の表示画面を取引選択画面に切替える。
操作表示部１３の表示画面が取引選択画面に切替えられたことを確認した係員は、テールゲート２を開放したまま、現金自動預払機４の運用を開始する。
【００２５】
一方、検出した傾斜角が傾斜許容角を超えている場合、制御部１１は、駐車位置が不適正な位置と判定して、接客部錠９ａ、通帳部錠９ｂ、紙幣部錠９ｃの電磁ロックを非通電状態としたまま、操作表示部１３の表示画面に水平度不適正通知画面を表示する。
水平度不適正通知画面には、図４に示すように、水平度が不適正である旨の文言、平坦な位置への移動を促す旨の文言、各扉の開閉、内蔵ユニットの引出しを制限している旨の文言等が表示され、前記各文言が音声により係員に報知される。
【００２６】
表示内容等を確認した係員は、現金自動預払機４への電源部１８からの電源を遮断し、移動取引車両１を営業場所内の比較的平坦な場所へ移動させて停車させる。
移動取引車両１を比較的平坦な場所へ停車させた係員は、上記と同様にして、水平度確認処理を実行させ、移動取引車両１が、適正な駐車位置に停車していることを確認した後に、上記と同様にして、現金自動預払機４の運用を開始する。
【００２７】
このようにして、本実施例の現金自動預払機４による業務処理における水平度確認処理が実行される。
以下に、本実施例の移動取引車両１に搭載された現金自動預払機４による取引処理等の処理動作について、出金処理を例に説明する。
【００２８】
出金取引を行う場合、利用者は、テールゲート２が開放された移動取引車両１の現金自動預払機４の前面側に立って、操作表示部１３の表示画面に表示されている取引選択画面から出金取引を選択する。
【００２９】
この選択入力を受付けた制御部１１は、操作表示部１３の表示画面に取引カードの挿入を促す旨の文言等を表示した取引カード挿入依頼画面を表示し、利用者はこれに従って取引カードをカード取扱部１５のカード挿入口１５ａに挿入する。
取引カードの挿入を検知した制御部１１はカード取扱部１５によって、取引カードのＩＣチップ等に記録されているカード情報を読取り、読取ったカード情報を記憶部１２に一時保存する。
【００３０】
カード情報を読取った制御部１１は、操作表示部１３の表示画面に、暗証番号の入力を促す旨の文言等および暗証番号表示欄等を表示した暗証番号入力画面を表示する。利用者はキー入力部１４のテンキー等によって暗証番号を入力する。
【００３１】
入力された暗証番号を認識した制御部１１は、通帳取扱部１６によって利用者による通帳の挿入を監視し、通帳挿入口１６ａに通帳が挿入された場合は通帳取扱部１６によって通帳の磁気ストライプに記録された通帳情報を読取り、一定の時間を経過しても通帳の挿入がなされない場合は通帳記帳の必要がないと判定する。本実施例では、利用者は通帳挿入口１６ａへ通帳を挿入する。
【００３２】
通帳記帳が必要と認識した制御部１１は、操作表示部１３の表示画面に、出金金額の入力を促す旨の文言および出金金額表示欄等を表示した出金金額入力画面を表示する。利用者は、キー入力部１４のテンキー等によって出金金額を入力し「円」ボタンを押下する。
「円」ボタンの押下により出金金額を認識した制御部１１は、ホストコンピュータとの間で通信回線を介した出金取引の交信処理を行う。
【００３３】
すなわち、制御部１１は、読取ったカード情報に入力された暗証番号や出金金額等を添付した出金取引の取引電文を生成し、これをホストコンピュータへ送信する。
取引電文を受信したホストコンピュータは、取引電文の暗証番号を照合して利用者を認証し、口座残高に不足がない場合は取引許可の旨の取引許可電文を送信元の現金自動預払機４へ送信する。
【００３４】
取引許可電文を受信した制御部１１は、入力された出金金額に相当する紙幣を紙幣入出金部１７からそれぞれ繰出して計数し、これを紙幣入出金口１７ａから排出して待機させる。
これと並行して、制御部１１は取引内容等を基に印刷データを作成し、これをカード取扱部１５へ送って明細票を印刷すると共に、印刷データを通帳取扱部１６へ送って通帳に記帳する。
【００３５】
紙幣の待機および明細票の印刷、通帳の記帳を終えた制御部１１は、操作表示部１３の表示画面に、紙幣や取引カード、通帳、明細票の受取りを促す旨の文言等を表示した紙幣等受取依頼画面を表示して、前記紙幣等の受取りを促す旨の文言を音声により利用者に報知する。
【００３６】
そして、制御部１１は、利用者により、紙幣入出金口１７ａに待機させた紙幣、カード挿入口１５ａから排出した取引カードや明細票、通帳挿入口１６ａから排出した通帳を、利用者が受取ったことを確認して今回の出金取引処理を終了させ、操作表示部１３の表示画面に取引選択画面を表示して待機する。
【００３７】
このようにして、本実施例の現金自動預払機４による取引処理における出金処理が実行される。
上記した出金処理等の取引処理中に、紙幣入出金部１７で紙幣ジャム等による不具合が発生した場合、復旧作業を行う係員は、現金自動預払機４の電源を遮断し、移動取引車両１を警備員等により安全が確保された場所へ移動させて停車させる。
【００３８】
このとき本実施例の各錠９は、電源の遮断により非通電状態になっているので、接客部５の扉５ａの接客部錠９ａ、通帳部６の扉６ａの通帳部錠９ｂ、紙幣部７の扉７ａの紙幣部錠９ｃの鍵による解錠は不可能になっている。
移動取引車両１を安全な場所へ停車させた係員は、上記と同様にして、水平度確認処理を実行させ、移動取引車両１が不適正な位置に停車している場合は、安全な場所内の比較的平坦な場所へ移動させ、適正な駐車位置に停車していることを確認した後に、所持する鍵によって紙幣部７の扉７ａの紙幣扉錠９ｃを解錠方向に回動させる。
【００３９】
このとき、各錠９の電磁ロックは、上記営業場所での水平度確認処理で説明したように、通電状態になっているため、紙幣部７の扉７ａの紙幣扉錠９ｃは鍵による解錠が可能になっている。
紙幣扉錠９ｃを解錠した係員は、紙幣部７の扉７ａを開放して紙幣入出金部１７を前面側に引出し、紙幣入出金部１７の搬送路等を開放してジャム紙幣の除去作業等を行う。
【００４０】
除去作業を終えた係員は、紙幣入出金部１７を紙幣部７内へ戻して扉７ａを閉鎖し、紙幣扉錠９ｃを鍵により施錠方向に回動させる。
この施錠位置への回動を検知した制御部は、電磁ロックを非通電としてプランジャを突出させ、各錠９を機械的にロックする。
【００４１】
そして係員は、移動取引車両１を元の営業場所へ移動させて停車させ、上記営業場所での水平度確認処理と同様にして、適正な駐車位置に停車していることを確認した後に、現金自動預払機４の運用を再開する。
接客部５のカード取扱部１５、通帳部６の通帳取扱部１６に不具合が発生した場合も同様である。
【００４２】
なお、係員が、紙幣入出金部１７への紙幣の補充処理、回収処理を行う場合は、主に、金融機関の駐車施設内等の安全が確保された場所に移動して行うが、緊急を要する場合は、紙幣ジャムが発生した場合と同様に、警備員等により安全を確保した状態で行うようにする。
【００４３】
以上説明したように、本実施例では、移動取引車両１に搭載した現金自動預払機４の水平度を水準器２１により検出し、検出した傾斜角が、傾斜許容角以下のときに鍵による各扉９の解錠を可能にし、傾斜角が傾斜許容角を超えている場合は、鍵による解錠を不可能にして、扉の開閉、内蔵ユニットの引出しを制限するので、開けた扉が傾斜により勢いよく開くことを未然に防止して、保守作業等における安全性を向上させることができる。
【００４４】
また、傾斜角が傾斜許容角を超えている場合に、操作表示部１３の表示画面に、水平度が不適正である旨の文言と共に、平坦な場所への移動を促す旨の文言を表示するので、係員は適正な場所への移動を直ちに認識することができる。
更に、現金自動預払機４の電源遮断時に、各扉５ａ、６ａ、７ａを機械的にロックするので、傾斜した場所に移動取引車両１を停車させた場合において、過誤により鍵で錠９を解錠しようとしても、各扉５ａ、６ａ、７ａを開くことができないため、不測の事態を回避して、保守作業等における安全性をより向上させることができる。
【００４５】
なお、上記実施例においては、現金自動預払機４を移動取引車両１に搭載した場合を例に説明したが、銀行の支店等の店舗の建屋内に設置する現金自動預払機４に本発明を適用すれば、設置時の水平度確認を容易に行うことができ、設置作業の効率化を図ることができる。
また、上記実施例においては、水準器２１は、接客部５の天板上に設置するとして説明したが、紙幣部７の天板上に設置するようにしてもよく、現金自動預払機４内に内蔵するようにしてもよい。
【００４６】
更に、上記実施例においては、水準器２１により検出した傾斜角が傾斜許容角を超えている場合は、各扉の電磁ロックを機械的にロックするとして説明したが、例えば、接客部５の扉５ａが、通帳部６の扉６ａと同様に左右方向に開閉する場合は、検出した傾斜角の傾斜方向が開方向でない場合、移動取引車両１のフロント側が低くなるように傾斜している場合は、各扉の鍵による解錠を可能にするようにしてもよい。
【００４７】
更に、上記実施例においては、水準器２１により検出した傾斜角が傾斜許容角以下の場合は、電磁ロックによる機械的なロックを解除するとして説明したが、水平度適正通知画面および水平度不適正通知画面に代えて、電磁ロックの「解除」ボタンを表示した、扉開閉選択画面を表示し「解除」ボタンが押下されたときに、電磁ロックによる機械的なロックを解除するようにしてもよい。この場合に、検出した傾斜角が傾斜許容角を超えている場合は「解除」ボタンを操作不可にするとよい。
【００４８】
更に、上記実施例においては、現金部は紙幣入出金部１７を備えた紙幣部７であるとして説明したが、紙幣および硬貨を取扱う現金入出金部としてもよい。
【符号の説明】
【００４９】
１    移動取引車両
２    テールゲート
３    取引装置設置空間
４    現金自動預払機
５    接客部
５ａ、６ａ、７ａ  扉
６    通帳部
７    紙幣部
９    錠
９ａ  接客部錠
９ｂ  通帳部錠
９ｃ  紙幣部錠
１１  制御部
１２  記憶部
１３  操作表示部
１４  キー入力部
１５  カード取扱部
１６  通帳取扱部
１７  紙幣入出金部
１８  電源部
２１  水準器
【図１】
2018088149.tif 000003
【図２】
2018088149.tif 000004
【図３】
2018088149.tif 000005
【図４】
2018088149.tif 000006